(57)【特許請求の範囲】
【請求項１】
11CaO・7Al2O3・CaF2含有量が0.1〜15質量％、4CaO・Al2O3・Fe2O3含有量が5〜25質量％、3CaO・SiO2含有量が30質量％以下、フリーライム量が1.0質量％以下で、残部が2CaO・SiO2である焼成物Ａの粉砕物と、石膏を含むことを特徴とする水硬性組成物。
【請求項２】
高炉スラグ粉末、フライアッシュ、石灰石粉末、珪石粉末から選ばれる１種以上の無機粉末を含む請求項１記載の水硬性組成物。
【請求項３】
塩素含有物を含有する請求項１又は２に記載の水硬性組成物。
【請求項４】
2CaO・SiO2及び2CaO・Al2O3・SiO2を必須成分とし、2CaO・SiO2100質量部に対して、2CaO・Al2O3・SiO2＋4CaO・Al2O3・Fe2O3を10〜100質量部含有し、かつ、3CaO・Al2O3の含有量が20質量部以下である焼成物Ｂの粉砕物を含有する請求項１〜３のいずれか１項に記載の水硬性組成物。
【発明の詳細な説明】
【技術分野】
【０００１】
本発明は、製造時の環境負荷を小さくすることができ、かつ、普通ポルトランドセメントと同等の流動特性および硬化特性を有する水硬性組成物に関するものである。
【背景技術】
【０００２】
わが国では、経済成長、人口の都市部への集中に伴い、産業廃棄物や一般廃棄物等が急増している。従来から、前記廃棄物の大半は、焼却によって十分の一程度に減容化し埋め立て処分されているが、最近では埋め立て処分場の残余容量が逼迫していることから、新しい廃棄物処理方法の確立が緊急課題になっている。この課題に対処するために、都市ゴミ焼却灰等を原料としてセメントクリンカーを製造する方法が提案されている（特許文献１）。
また、近年の地球環境問題の深刻化に伴い、セメントの製造の際の炭酸ガスの抑制も大きな課題となってきている。
【先行技術文献】
【特許文献】
【０００３】
【特許文献１】特開２０００−２８１３９５号公報
【発明の開示】
【発明が解決しようとする課題】
【０００４】
しかし、上記特許文献１に記載されたセメントクリンカーでは、水和反応性が高い3CaO・Al2O3を10質量％以上含むため、該セメントクリンカーを使用したセメントは、普通ポルトランドセメントと比べて流動性が低下することに加え、流動性の経時変化も大きくなり、強度発現性もやや劣るという課題があった。
また、上記特許文献１に記載されたセメントクリンカーは、ポルトランドセメントクリンカーよりも低温(1400℃程度)で焼成可能であり、燃料原単位の低減により製造の際の炭酸ガスの発生量を抑制することは可能ではあるが、近年の地球環境問題の深刻化に伴い、製造の際により炭酸ガス発生量を抑制できる水硬性組成物が求められている。
【０００５】
そこで、本発明においては、製造時の環境負荷を小さくすることができ、かつ、普通ポルトランドセメントと同等の流動特性および硬化特性を有する水硬性組成物を提供することを目的とする。
【課題を解決するための手段】
【０００６】
本発明者らは、斯かる実情に鑑み、鋭意検討した結果、特定の鉱物を特定量含む焼成物の粉砕物と、石膏とを組み合わせることにより、製造時の環境負荷を小さくすることができるうえ、普通ポルトランドセメントと同等の流動特性および硬化特性が得られることを見いだし、本発明を完成させたものである。
すなわち、本発明は、11CaO・7Al2O3・CaF2含有量が0.1〜15質量％、4CaO・Al2O3・Fe2O3含有量が5〜25質量％、3CaO・SiO2含有量が30質量％以下、フリーライム量が1.0質量％以下で、残部が2CaO・SiO2である焼成物Ａの粉砕物と、石膏を含むことを特徴とする水硬性組成物を提供するものである。
【発明の効果】
【０００７】
本発明の水硬性組成物は、産業廃棄物、一般廃棄物及び建設発生土から選ばれる一種以上を原料として使用できるので、廃棄物の有効利用の促進にも貢献することができるうえ、原料としての石灰石の使用量を低減できるので、製造の際の炭酸ガスの発生量を抑制することが可能である。また、本発明で使用する焼成物は、ポルトランドセメントクリンカーよりも低温で焼成することができるので、燃料原単位の低減により炭酸ガスの発生量を抑制することも可能である。このように、本発明の水硬性組成物は、製造時の環境負荷を小さくすることができる。
また、本発明の水硬性組成物は、普通ポルトランドセメントと同等の流動特性および硬化特性を有するものである。よって、本発明の水硬性組成物は、普通ポルトランドセメントの代替品として使用することが可能である。
【発明を実施するための形態】
【０００８】
以下、本発明について詳細に説明する。
本発明で使用する焼成物Ａは、11CaO・7Al2O3・CaF2(以降、C11A7CaF2と称す)含有量が0.1〜15質量％、4CaO・Al2O3・Fe2O3(以降、C4AFと称す)含有量が5〜25質量％、3CaO・SiO2(以降、C3Sと称す)含有量が30質量％以下、フリーライム量が1.0質量％以下で、残部が2CaO・SiO2(以降、C2Sと称す)からなるものである。
焼成物Ａ中のC11A7CaF2含有量が少なくなると、焼成物を製造する際の焼成温度を低減することが困難となるので、製造時の環境負荷を小さくすることが困難となる。一方、焼成物Ａ中のC11A7CaF2含有量が多くなると、普通ポルトランドセメントと同等の流動特性や硬化特性を得ることが困難となる。
よって、焼成物Ａ中のC11A7CaF2含有量は、0.1〜15質量％が好ましく、0.5〜14質量％がより好ましく、1〜13質量％が特に好ましい。
【０００９】
焼成物Ａ中のC4AF含有量が少なくなると、本願の水硬性組成物を使用して得たモルタルやコンクリート等が炭酸化した場合に強度低下を引き起こす場合がある。一方、焼成物Ａ中のC4AF含有量が多くなると、高温時に原料が溶融し易くなり、溶融した原料がキルンに付着するなどして焼成が困難になる。
よって、焼成物Ａ中のC4AF含有量は、5〜25質量％が好ましく、5.5〜20質量％がより好ましく、6〜15質量％が特に好ましい。
【００１０】
焼成物Ａ中のC3S含有量が多くなると、石灰石の使用量が増加し石灰石の脱炭酸により、多くの炭酸ガスが排出され、さらに脱炭酸に要する熱量も多くなるので、製造時の環境負荷を小さくすることが困難となる。一方、焼成物Ａ中のC3S含有量が少なくなると、普通ポルトランドセメントと同等の硬化特性を得ることが困難になるので、焼成物Ａ中のC3S含有量は、30質量％以下が好ましく、2〜27質量％がより好ましく、5〜25質量％が特に好ましい。
【００１１】
焼成物Ａ中のフリーライム量が多くなると、強度発現性が低下する虞があり、普通ポルトランドセメントと同等の硬化特性を得ることが困難となる。一方、焼成物Ａ中のフリーライム量を0質量％とすることは困難であるので、焼成物中のフリーライム量は、1.0質量％以下が好ましく、0.1〜0.9質量％がより好ましく、0.2〜0.8質量％が特に好ましい。
【００１２】
本発明で使用する焼成物Ａは、上記C11A7CaF2、C4AF、C3S、フリーライム以外に、C2Sを含むものである。
焼成物Ａ中のC2S含有量が少なくなると、普通ポルトランドセメントと同等の流動特性や硬化特性を得ることが困難となる。一方、焼成物Ａ中のC2S含有量が多くなると、相対的にC11A7CaF2含有量等が少なくなるので、セメントの初期強度が低下する。また、焼成物の原料として産業廃棄物等を使用することも困難となるので、製造時の環境負荷を小さくすることが困難となる。
よって、焼成物Ａ中のC2S含有量は、30〜94質量％が好ましく、35〜85質量％がより好ましく、40〜80質量％が特に好ましい。
【００１３】
本発明において、焼成物Ａの鉱物組成は、例えば、粉末Ｘ線回折に基づく検量線法や粉末Ｘ線回折に基づくプロファイルフィッティング法(リートベルト解析法等)により測定することができる。
【００１４】
本発明で使用する焼成物Ａは、産業廃棄物、一般廃棄物及び建設発生土から選ばれる１種以上を原料として使用することができる。産業廃棄物としては、例えば、高炉スラグ；石炭灰；生コンスラッジ、下水汚泥、浄水汚泥、建設汚泥、製鉄汚泥等の各種汚泥；廃石膏ボート等の石膏廃材；ボーリング廃土、各種焼却灰、鋳物砂、ロックウール、廃ガラス、高炉２次灰、建設廃材、コンクリート廃材などが挙げられ；一般廃棄物としては、例えば下水汚泥乾粉、都市ごみ焼却灰、貝殻等が挙げられる。建設発生土としては、建設現場や工事現場等から発生する土壌や残土、さらには廃土壌等が挙げられる。
また、一般のポルトランドセメントクリンカー原料、例えば、石灰石、生石灰、消石灰等のCaO原料、珪石、粘土等のSiO2原料、粘土等のAl2O3原料、鉄滓、鉄ケーキ等のFe2O3原料も使用することができる。なお、フッ素原料としては、蛍石や下水汚泥等を使用することができる。
【００１５】
上記各原料を、CaO:55〜63質量％、SiO2:26〜30質量％、Al2O3:6〜13質量％、Fe2O3:1.5〜8.5質量％、F:0.004〜0.8質量％となるように混合し、好ましくは1000〜1400℃で焼成することにより、焼成物Ａが製造される。より好ましい焼成温度は1050〜1350℃であり、特に好ましい焼成温度は1100〜1300℃である。
各原料を混合する方法は、特に限定するものではなく、慣用の装置等で行えばよい。
また、焼成に使用する装置も特に限定するものではなく、例えば、ロータリーキルン、電気炉等を使用することができる。ロータリーキルンで焼成する際には、燃料代替廃棄物、例えば、廃油、廃タイヤ、廃プラスチック等を使用することができる。
【００１６】
本発明の水硬性組成物は、上記焼成物Ａの粉砕物と石膏を含むものである。石膏としては、２水石膏、α型又はβ型半水石膏、無水石膏等を単独又は２種以上組み合わせてを使用することができる。
本発明においては、水硬性組成物中の２水石膏及び半水石膏の合量に対する半水石膏の割合はSO3換算で30質量％以上であることが好ましい。２水石膏及び半水石膏の合量に対する半水石膏の割合がSO3換算で30質量％未満では、水硬性組成物の水和熱が大きくなり、また凝結時間が極端に短くなる、流動性が低下する、硬化体の寸法安定性が低下する等の理由から好ましくない。２水石膏及び半水石膏の合量に対する半水石膏の割合は、水和熱低減や流動性向上の観点から、40〜90質量％が好ましい。
なお、２水石膏・半水石膏の定量は、特開平6-242035号公報に記載される試料容器を使用した熱分析（熱重量測定等）により行うことができる。
【００１７】
本発明の水硬性組成物は、高炉スラグ粉末、フライアッシュ、石灰石粉末、珪石粉末から選ばれる１種以上の無機粉末を含むことができる。これらの無機粉末を含むことにより、水和熱の低減や流動性の向上、耐久性の向上等を図ることができる。
水硬性組成物中の無機粉末量は、
(1)高炉スラグ粉末であれば、流動性や強度発現性、さらにはアルカリ骨材反応の抑制効果、耐硫酸塩性等から、60質量％以下であることが好ましく、20〜55質量％であることがより好ましく、30〜50質量％であることが特に好ましい。
(2)フライアッシュ、石灰石粉末や珪石粉末であれば、30質量％以下であることが好ましく、2〜25質量％であることがより好ましく、3〜20質量％であることが特に好ましい。
なお、無機粉末としては、水和熱や、流動性、強度発現性や耐久性等の観点から、ブレーン比表面積2500〜6000cm2/gのものを使用するのが好ましく、3000〜5000cm2/gのものを使用するのがより好ましい。
【００１８】
本発明の水硬性組成物は、塩素含有物を含むことができる。塩素含有物を含むことにより、初期強度発現性の向上等を図ることができる。
塩素含有物としては、塩素を0.5質量％以上含有するものが好ましい。具体的な塩素含有物としては、塩化カルシウムや塩化カリウム等の塩化物、JIS R 5214に規定される速硬エコセメントや速硬エコセメントクリンカーの粉砕物、塩素バイパスダストや塩素バイパスダストの水洗物等が挙げられる。本発明においては、廃棄物の有効利用の促進や初期強度発現性等の観点から、塩素含有物として、速硬エコセメントや速硬エコセメントクリンカーの粉砕物、塩素バイパスダストや塩素バイパスダストの水洗物を使用することが好ましく、特に塩素バイパスダストや塩素バイパスダストの水洗物を使用することが好ましい。
これらの塩素含有物のブレーン比表面積は、流動性や強度発現性等から、2000〜10000cm2/gであることが好ましく、2500〜7000cm2/gであることがより好ましい。
塩素含有物の添加量は、水硬性組成物中の塩素量が350mg/kg以下、好ましくは50〜330mg/kg、より好ましくは100〜300mg/kgとなる量とすることが好ましい。水硬性組成物中の塩素量が350mg/kgを越えると、流動性が低下する。また、鉄筋コンクリートに使用した場合、鉄筋が発錆する可能性が高くなるので好ましくない。なお、水硬性組成物中の塩素量が少なくなると、初期強度発現性が低下することがあるので、水硬性組成物中の塩素量が50mg/kg以上であることが好ましい。
【００１９】
本発明の水硬性組成物は、C2S及び2CaO・Al2O3・SiO2(以降、C2ASと称す)を必須成分とし、C2S100質量部に対して、C2AS＋C4AFを10〜100質量部含有し、かつ、3CaO・Al2O3(以降、C3Aと称す)の含有量が20質量部以下である焼成物Ｂの粉砕物を含有することができる。このような焼成物Ｂの粉砕物を含有することにより、水和熱の低減や流動性の向上等を図ることができる。また、このような焼成物Ｂは、産業廃棄物等を原料とするものであるので、廃棄物の有効利用を促進することができる。
上記焼成物Ｂは、C2S及びC2ASを必須成分とするもので、C2S100質量部に対して、C2ASを10〜100質量部、好ましくは20〜90質量部含有するものである。C2AS含有量が10質量部未満では、流動性が低下する。また、焼成時に焼成温度を上げてもフリーライム量が低下しにくく、焼成が困難になり、また、生成するC2Sも水和活性のないγ型C2Sである可能性が高くなり、強度発現性を大きく低下させることがある。一方、C2AS含有量が100質量部を超えると、強度発現性が低下することがある。
【００２０】
また、焼成物Ｂは、C2S100質量部に対するC3Aの含有量が20質量部以下、好ましくは10質量部以下のものである。C3Aの含有量が20質量部を超えると、水和熱が大きくなり、流動性も悪くなる。
【００２１】
さらに、焼成物Ｂは、P2O5を0.2〜8.0質量％（より好ましくは0.5〜6.0質量％）、アルカリ（Na2O+K2O）を0.4〜4.0質量％（より好ましくは0.5〜3.5質量％）含有することが好ましい。P2O5やアルカリをこの範囲で含有する場合、C2Sを活性化させるため、C3Aなどのカルシウムアルミネートがない場合でも、強度発現性が良好になる。そして、カルシウムアルミネートが少なくなるほど、流動性も良好でかつ水和熱も低くなる。
なお、焼成物Ｂ中のフリーライム量は、水和熱や流動性、強度発現性等から、1.5質量％以下、特に1.0質量％以下であるのが好ましい。
【００２２】
このような焼成物Ｂは、産業廃棄物、一般廃棄物及び建設発生土から選ばれる１種以上を原料とし、これを焼成することにより製造することができる。
また、一般のポルトランドセメントクリンカー原料、例えば、石灰石、生石灰、消石灰等のCaO原料、珪石、粘土等のSiO2原料、粘土等のAl2O3原料、鉄滓、鉄ケーキ等のFe2O3原料も使用することができる。
【００２３】
なお、焼成物Ｂの原料組成によっては、特に、前記産業廃棄物、一般廃棄物及び建設発生土から選ばれる１種以上（以下、廃棄物原料と称する）を原料として用いた場合、C4AFが生成することがあるが、本発明においては、焼成物ＢのC2ASの一部、好ましくはC2AS質量の70質量％以下がC4AFで置換されても良い。C4AFがこの範囲を超えて置換されると、焼成の温度範囲が狭くなり、製造の管理が難しくなる。
【００２４】
焼成物Ｂの鉱物組成は、使用原料中のCaO、SiO2、Al2O3、Fe2O3の各含有量（質量％）から、次式により求めることができる。
C4AF＝3.04×Fe2O3
C3A ＝1.61×CaO−3.00×SiO2−2.26×Fe2O3
C2AS＝−1.63×CaO＋3.04×SiO2＋2.69×Al2O3＋0.57×Fe2O3
C2S ＝1.02×CaO＋0.95×SiO2−1.69×Al2O3−0.36×Fe2O3
【００２５】
焼成物Ｂの焼成温度は、1000〜1350℃、特に1200〜1330℃であるのが、焼成工程の熔融相の状態が良好であるので好ましい。
用いる装置は特に限定されず、例えばロータリーキルン等を用いることができる。また、ロータリーキルンで焼成する際には、燃料代替廃棄物、例えば廃油、廃タイヤ、廃プラスチック等を使用することができる。
このような焼成により、C2ASが生成し、上記組成の焼成物Ｂを得ることができる。
【００２６】
焼成物Ｂの粉砕物の配合量は、水和熱や、流動性、耐久性や強度発現性等の観点から、水硬性組成物中の20質量％以下、特に1〜15質量％であることが好ましい。
焼成物Ｂの粉砕物は、ブレーン比表面積が2500〜5000cm2/gであるのが、水和熱や、流動性、強度発現性等の観点から好ましい。なお、粉砕方法は特に制限されず、例えばボールミル等を用い、通常の方法で粉砕することができる。
【００２７】
なお、本発明において、水硬性組成物中の石膏量は、流動性や強度発現性等から、SO3換算で1〜5質量％であることが好ましく、1.5〜3.5質量％であることがより好ましい。
【００２８】
本発明の水硬性組成物の製造方法は特に制限されず、例えば、焼成物Ａの粉砕物と石膏からなる水硬性組成物の製造においては、焼成物Ａと石膏を同時粉砕しても良いし、焼成物Ａの粉砕物と石膏を混合しても良い。塩素含有物、高炉スラグ粉末等の無機粉末や焼成物Ｂの粉砕物を含む水硬性組成物では、塩素含有物粉末、高炉スラグ粉末等の無機粉末や焼成物Ｂの粉砕物を焼成物Ａの粉砕物等に混合しても良いし、焼成物Ａと石膏と高炉スラグ粉末等の無機粉末や焼成物Ｂを同時粉砕しても良い。
なお、本発明において、得られる水硬性組成物は、モルタルやコンクリートのブリーディングの低減や、流動性、強度発現性の観点から、ブレーン比表面積が2500〜4500cm2/gであることが好ましく、3000〜3500cm2/gであることがより好ましい。
【００２９】
本発明の水硬性組成物は、ペースト、モルタル又はコンクリートの状態で使用される。  減水剤としては、リグニン系、ナフタレンスルホン酸系、メラミン系、ポリカルボン酸系の減水剤（ＡＥ減水剤、高性能減水剤、高性能ＡＥ減水剤も含む）が使用できる。
モルタル又はコンクリートの状態で使用する場合は、通常モルタル、コンクリートの製造に使用されている細骨材・粗骨材、すなわち、川砂、陸砂、砕砂等や、川砂利、山砂利、砕石等を使用することができる。また、都市ゴミ、都市ゴミ焼却灰、下水汚泥焼却灰の一種以上を溶融して製造した溶融スラグ、あるいは高炉スラグ、製鋼スラグ、銅スラグ、碍子屑、ガラスカレット、陶磁器廃材、クリンカーアッシュ、廃レンガ、コンクリート廃材等の廃棄物を細骨材・粗骨材の一部または全部に使用することができる。
なお、必要に応じて、支障のない範囲内で、空気連行剤、消泡剤等の混和剤を使用することは差し支えない。
【００３０】
ペースト、モルタル又はコンクリートの混練方法は、特に限定するものではなく、例えば、(1)各材料を一括してミキサに投入して１分以上混練する方法、(2)水以外の材料をミキサに投入して空練りした後に、水を投入して１分以上混練する方法等で行うことができる。混練に用いるミキサは、特に限定するものではなく、ホバートミキサ、パンタイプミキサ、二軸ミキサ等の慣用のミキサで混練すれば良い。
ペースト、モルタル又はコンクリートの成形方法は、特に限定するものではなく、例えば、振動成形等を行えば良い。
また、養生条件も、特に限定するものではなく、例えば、気中養生、水中養生、蒸気養生等を行えば良い。
【実施例】
【００３１】
以下、実施例により本発明を説明する。
１．実施例１
（１）焼成物Ａの製造：
原料として、建設発生土と、一般のポルトランドセメントクリンカー原料である石灰石、珪石、鉄原料と、試薬を使用して、下記の焼成物Ａを電気炉を用いて製造した。
なお、No.2の焼成物は普通ポルトランドセメントクリンカーに相当する。
(1)焼成物Ａ；C11A7CaF2:8質量％、C2S:61質量％、C3S:9質量％、C4AF:16質量％、フリ            ーライム量:1.0質量％、焼成温度:1300℃
(2)焼成物(No.2)；C3S:58質量％、C2S:21質量％、C3A:9質量％、C4AF:9質量％、フリー            ライム量:1.0質量％、焼成温度:１４７０℃
なお、上記焼成物Ａの製造においては建設発生土を焼成物1ton当たり510kg使用し、No.2の焼成物(普通ポルトランドセメントクリンカー)の製造においては、建設発生土を焼成物1ton当たり300kg使用した。
【００３２】
上記の通り、本発明で使用する焼成物Ａは、廃棄物等を原料として大量に使用できることが分かる。また、本発明で使用する焼成物Ａは、低温で製造できることも分かる。このように、本発明で使用する焼成物Ａは、製造時の環境負荷を小さくすることができる。
【００３３】
（２）水硬性組成物の製造
上記焼成物Ａに、排脱ニ水石膏（住友金属社製）及び前記排脱ニ水石膏を140℃で加熱して得た半水石膏を添加し、バッチ式ボールミルでブレーン比表面積が3250±50cm2/gとなるように同時粉砕して、水硬性組成物を製造した。
なお、該水硬性組成物中のニ水石膏量(SO3換算)は焼成物の粉砕物100質量部に対して0.8質量部であり、半水石膏量(SO3換算)は焼成物の粉砕物100質量部に対して0.8質量部である。
【００３４】
（３）評価
上記水硬性組成物について、以下の方法でフロー値と圧縮強度を測定した。
(A)フロー値
上記水硬性組成物および細骨材（JIS R 5201に定める標準砂）、水およびポリカルボン酸系高性能ＡＥ減水剤(ＢＡＳＦポゾリス社製「レオビルドSP8N」)を使用して、モルタルを調製し、混練直後のモルタルフロー値を測定した。モルタルの配合は、水／水硬性組成物(質量)比＝0.35、細骨材／水硬性組成物(質量)比＝2.0、減水剤／水硬性組成物(質量)比＝0.0065とした。混練は7分間行い、混練直後のモルタルをフローコーン（上面直径5cm、下面直径10cm、高さ15cm）に投入し、フローコーンを上方へ取り去った際のモルタルの広がりを測定し、フロー値とした。
(B)圧縮強度
モルタルの圧縮強度（３日、７日及び28日）を「JIS R 5201(セメントの物理試験方法)」に準じて測定した。なお、モルタルの配合は、水／水硬性組成物(質量)比＝0.5、細骨材／水硬性組成物(質量)比＝3.0とした。
その結果、フロー値は253(mm)、３日の圧縮強度は33.1(N/mm2)、７日の圧縮強度は45.1(N/mm2)、28日の圧縮強度は61.2(N/mm2)であった。
【００３５】
２．比較例１
市販普通ポルトランドセメント（C3S;59質量％、C2S;21質量％、C3A含有量;9質量％、C4AF;9質量％、f-CaO;0.5質量％、ニ水石膏量(SO3換算)は0.8質量％であり、半水石膏量(SO3換算)は0.9質量％）について、フロー値と圧縮強度を実施例１と同様にして測定した。
その結果、フロー値は261(mm)で、３日の圧縮強度は30.8(N/mm2)、７日の圧縮強度は46.1(N/mm2)、28日の圧縮強度は61.0(N/mm2)であった。
【００３６】
上記のように、本発明の水硬性組成物は、普通ポルトランドセメントと同等の流動特性および硬化特性を有することが分かる。
【００３７】
３．実施例２
実施例１で製造した水硬性組成物に、高炉スラグ粉末(ブレーン比表面積4000cm2/g)と、二水石膏及び半水石膏を混合して、水硬性組成物を製造した。
なお、該水硬性組成物中の高炉スラグ粉末量は40質量％、ニ水石膏量(SO3換算)は1.0質量％で、半水石膏量(SO3換算)は1.0質量％である。
該水硬性組成物について、フロー値と圧縮強度を実施例１と同様にして測定した。
その結果、フロー値は305(mm)で、３日の圧縮強度は21.8(N/mm2)、７日の圧縮強度は33.8(N/mm2)、28日の圧縮強度は58.2(N/mm2)であった。
【００３８】
４．比較例２
市販高炉セメントＢ種(高炉スラグ粉末含有量は40質量％)について、フロー値と圧縮強度を実施例１と同様にして測定した。
その結果、フロー値は310(mm)で、３日の圧縮強度は20.5(N/mm2)、７日の圧縮強度は34.0(N/mm2)、28日の圧縮強度は58.0(N/mm2)であった。
【００３９】
実施例２と比較例２から、本発明の水硬性組成物は、高炉セメントと同等の流動特性および硬化特性を有することが分かる。
【００４０】
５．実施例３
実施例１で製造した水硬性組成物に、石灰石粉末(ブレーン比表面積4000cm2/g)と、二水石膏及び半水石膏を混合して、水硬性組成物を製造した。
なお、該水硬性組成物中の石灰石粉末量は10質量％、ニ水石膏量(SO3換算)は1.0質量％で、半水石膏量(SO3換算)は1.0質量％である。
該水硬性組成物について、フロー値と圧縮強度を実施例１と同様にして測定した。
その結果、フロー値は263(mm)で、３日の圧縮強度は29.0(N/mm2)、７日の圧縮強度は44.3(N/mm2)、28日の圧縮強度は56.6(N/mm2)であった。
【００４１】
６．比較例３
比較例１で使用した市販普通ポルトランドセメントに、石灰石粉末(ブレーン比表面積4000cm2/g)と、二水石膏及び半水石膏を混合して、石灰石粉末混合セメントを製造した。
なお、該石灰石粉末混合セメント中の石灰石粉末量は10質量％、ニ水石膏量(SO3換算)は1.0質量％で、半水石膏量(SO3換算)は1.0質量％である。
該石灰石粉末混合セメントについて、フロー値と圧縮強度を実施例１と同様にして測定した。
その結果、フロー値は271(mm)で、３日の圧縮強度は28.2(N/mm2)、７日の圧縮強度は43.5(N/mm2)、28日の圧縮強度は56.2(N/mm2)であった。